(57)【要約】【課題】鳥の糞公害がないように鳥が留まり難いだけでなく、電柱の最上端部から雨水などが内部に浸透し難く、電柱の最上端部からの劣化を適確に防止し得る鳥留まり防止具を提供する。【解決手段】電柱の最上端部の外周を覆うように電柱の最上端部の外周に取り付けられる短筒状の底部１ａと、この短筒状底部から上方に円錐状に伸び、上端部に鳥が留まり難いように上端部が円錐形の頂点となっている円錐部１ｂとから構成され、円錐部１ｂの表面は摩擦係数の小さい材料を使用または塗付され、その頂点を中心とする頂角は所定の鋭角であり、鳥が留まり難く構成されている。【選択図】      図１
2004321139.tif 000002
【特許請求の範囲】
【請求項１】
電柱の最上端部に鳥が留まることを防止すべく電柱の最上端部に取り付けられる鳥留まり防止具であって、
電柱の最上端部の外周を覆うように電柱の最上端部の外周に取り付けられる短筒状の底部と、
この短筒状底部から上方に円錐状に伸び、上端部に鳥が留まり難いように上端部が円錐形の頂点となっている円錐部と
を有することを特徴とする鳥留まり防止具。
【請求項２】
前記短筒状底部および円錐部を電柱の外径に応じて電柱の直径方向に伸縮し得るように短筒状底部から円錐部の頂点に向かって形成された切れ目と、
この切れ目を境として短筒状底部および円錐部を電柱の外径に応じて電柱の直径方向に伸縮して短筒状底部を電柱の最上端部の外径にぴったりと嵌合させた状態で短筒状底部を周囲から電柱の最上端部の外周に固定的に締め付ける固定手段と
を有することを特徴とする請求項１記載の鳥留まり防止具。
【請求項３】
前記切れ目は、該切れ目において短筒状底部および円錐部がオーバーラップしていて、１本の切れ目になるように構成されていることを特徴とする請求項２記載の鳥留まり防止具。
【請求項４】
円錐部は、表面が摩擦係数の小さい材料を使用または塗付されていることを特徴とする請求項１乃至３のいずれか１項に記載の鳥留まり防止具。
【請求項５】
前記円錐部の頂点を中心とする頂角は、所定の鋭角であることを特徴とする請求項１乃至４のいずれか１項記載の鳥留まり防止具。
【請求項６】
前記固定手段は、ベルト状締め付け固定具または接着剤であることを特徴とする請求項２記載の鳥留まり防止具。
【発明の詳細な説明】
【０００１】
【発明の属する技術分野】
本発明は、電柱の最上端部に鳥が留まることを防止するとともに、また電柱の最上端部が自然劣化などで破片となって落下することも防止し得るように電柱の最上端部に取り付けられる鳥留まり防止具に関する。
【０００２】
【従来の技術】
電柱は、例えばコンクリートポールで構成されるが、このようなコンクリートポールは自然劣化などにより腐食することがある。また、このような問題を防止するために、従来、コンクリートポールなどからなる電柱の最上端部に半円形のポールキャップを載せ、周囲をモルタルで固めているものもある（例えば、非特許文献１参照）。
【０００３】
一方、電柱の最上端部には、鳥が留まることがあり、この鳥の糞が電柱下に落下し、電柱付近の通行人に糞をかけてしまうこともある。
【０００４】
【非特許文献１】
「所外通信設備のトラブルＱ＆Ａ（ＮＴＴ東日本技術協力センタ編），          １２２頁
【０００５】
【発明が解決しようとする課題】
上述したように、電柱の最上端部にポールキャップを載せる従来の方法は、このポールキャップ、電柱上端とモルタルとの境目から雨水が浸透し、内部の鉄筋が腐食して膨張し、モルタルを押し広げてひびを生じ、これが進むと、モルタルが剥離するという問題が指摘されていた。
【０００６】
また、従来のポールキャップは、鳥が留まり易い半円形の構造であるため、この鳥の糞が電柱下に落下し、電柱付近の通行人に糞をかけてしまったり、電柱付近を汚し、非衛生的であるという問題がある。
【０００７】
本発明は、上記に鑑みてなされたもので、その目的とするところは、鳥の糞公害がないように鳥が留まり難いだけでなく、電柱の最上端部から雨水などが内部に浸透し難く、電柱の最上端部からの劣化を適確に防止し得る鳥留まり防止具を提供することにある。
【０００８】
【課題を解決するための手段】
上記目的を達成するため、請求項１記載の本発明は、電柱の最上端部に鳥が留まることを防止すべく電柱の最上端部に取り付けられる鳥留まり防止具であって、電柱の最上端部の外周を覆うように電柱の最上端部の外周に取り付けられる短筒状の底部と、この短筒状底部から上方に円錐状に伸び、上端部に鳥が留まり難いように上端部が円錐形の頂点となっている円錐部とを有することを要旨とする。
【０００９】
請求項１記載の本発明にあっては、上方に円錐状に伸びた円錐部を有する短筒状底部を電柱の最上端部の外周を完全に覆うように取り付けるため、鳥が留まり難く、従って鳥の糞害もなく、電柱付近の通行人に糞をかけたり、電柱付近を汚すことがないとともに、また雨水は円錐部の外周を伝わって下方に流れ、内部に浸透することなく、電柱の周囲を伝わって流れてしまい、電柱の内部に浸透して電柱を腐食させることもない。
【００１０】
また、請求項２記載の本発明は、請求項１記載の発明において、前記短筒状底部および円錐部を電柱の外径に応じて電柱の直径方向に伸縮し得るように短筒状底部から円錐部の頂点に向かって形成された切れ目と、この切れ目を境として短筒状底部および円錐部を電柱の外径に応じて電柱の直径方向に伸縮して短筒状底部を電柱の最上端部の外径にぴったりと嵌合させた状態で短筒状底部を周囲から電柱の最上端部の外周に固定的に締め付ける固定手段とを有することを要旨とする。
【００１１】
請求項２記載の本発明にあっては、短筒状底部から円錐部の頂点に向かって形成された切れ目を境として短筒状底部および円錐部を電柱の外径に応じて電柱の直径方向に伸縮して短筒状底部を電柱の最上端部の外径にぴったりと嵌合させ、この嵌合状態で短筒状底部を周囲から電柱の最上端部の外周に固定手段により固定的に締め付けるため、種々の太さの電柱に適確に取り付けることができ、鳥が留まり難く、従って鳥の糞害もなく、電柱付近の通行人に糞をかけたり、電柱付近を汚すことがないとともに、また雨水が内部に浸透して電柱を腐食させることもない。
【００１２】
更に、請求項３記載の本発明は、請求項２記載の発明において、前記切れ目が、該切れ目において短筒状底部および円錐部がオーバーラップしていて、１本の切れ目になるように構成されていることを要旨とする。
【００１３】
請求項３記載の本発明にあっては、切れ目がオーバーラップしていて１本の切れ目になるように構成されているため、この切れ目から雨水は侵入しにくく、特に切れ目に接着剤や防水コーティングを施すことにより雨水の侵入を完全に防止することができる。
【００１４】
請求項４記載の本発明は、請求項１乃至３のいずれか１項に記載の発明において、円錐部が、表面が摩擦係数の小さい材料を使用または塗付されていることを要旨とする。
【００１５】
請求項４記載の本発明にあっては、円錐部の表面が摩擦係数の小さい材料を使用または塗付されているため、鳥が留まり難く、鳥の糞害もなく、電柱付近の通行人に糞をかけたり、電柱付近を汚すことがない。
【００１６】
請求項５記載の本発明は、請求項１乃至４のいずれか１項記載の発明において、前記円錐部の頂点を中心とする頂角が、所定の鋭角であることを要旨とする。
【００１７】
請求項５記載の本発明にあっては、円錐部の頂点を中心とする頂角が所定の鋭角であるため、鳥が留まり難く、鳥の糞害もなく、電柱付近の通行人に糞をかけたり、電柱付近を汚すことがない。
【００１８】
更に、請求項６記載の本発明は、請求項２記載の発明において、前記固定手段が、ベルト状締め付け固定具または接着剤であることを要旨とする。
【００１９】
請求項６記載の本発明にあっては、ベルト状締め付け固定具または接着剤で固定するため、鳥留まり防止具を電柱の最上端部に適確に取り付けることができる。
【００２０】
【発明の実施の形態】
以下、図面を用いて本発明の実施の形態を説明する。図１（ａ），（ｂ）は、それぞれ本発明の一実施形態に係わる鳥留まり防止具を電柱の最上端部に取り付けた状態で示す斜視図および電柱の最上端部に取り付ける直前の状態を示す斜視図である。
【００２１】
図１に示すように、本実施形態の鳥留まり防止具１は、電柱の最上端部に鳥が留まることを防止するとともに電柱の最上端部が自然劣化などで破片となって落下することを防止すべく電柱３の最上端部３ａに取り付けられるように円錐形に形成されている。更に詳しくは、鳥留まり防止具１は、電柱１の最上端部３ａの外周を覆うように電柱１の最上端部３ａの外周に取り付けられる短筒状の底部１ａと、この短筒状底部１ａから上方に円錐状に伸び、上端部に鳥が留まり難いように上端部が円錐形の頂点となっている円錐部１ｂとから構成されている。
【００２２】
このように構成される鳥留まり防止具１は、図１（ｂ）に示すように、電柱３の上から矢印で示すように被せてから短筒状底部１ａを電柱３の最上端部３ａに固定する。この固定は、例えば接着剤で行うこともできるし、または後述するベルト状締め付け固定具で行うことも可能である。
【００２３】
また、鳥留まり防止具１は、例えば金属やプラスチックなどで形成することができるが、いずれにしても、円錐部１ｂの表面は、鳥が留まれないように摩擦係数の小さい材料を使用または塗付されているものである。円錐部１ｂは、鳥が留まれないようにその頂点を中心とする頂角が所定の鋭角に構成されるかまたは短筒状底部１ａの直径と円錐部１ｂの高さの関係が直径：高さ＝１：√３以上であるように構成されている。
【００２４】
以上のように構成される鳥留まり防止具１では、円錐部１ｂが表面に摩擦係数の小さい材料を使用または塗付されるとともに、その頂点を中心とする頂角が所定の鋭角であるため、鳥が留まり難く、従って鳥の糞害もなく、電柱付近の通行人に糞をかけたり、電柱付近を汚すこともない。また更に、鳥留まり防止具１は、短筒状底部１ａを電柱３の最上端部３ａの外周に完全に被せるように取り付けて、接着剤などで固定するとともに、円錐部１ｂが表面に摩擦係数の小さい材料を使用または塗付され、その頂点を中心とする頂角が所定の鋭角であるため、雨水は内部に浸透することなく、下方に流れ、電柱３の周囲を伝わって流れてしまい、電柱３の内部に浸透し、電柱を腐食させてしまうこともない。
【００２５】
図２（ａ），（ｂ）は、本発明の他の実施形態に係わる鳥留まり防止具を示す斜視図であるが、同図（ｂ）では鳥留まり防止具を電柱に固定的に取り付けるベルト状締め付け固定具も図示しているものである。なお、同図は、鳥留まり防止具のみを示し、電柱は図示していないが、本実施形態の鳥留まり防止具も図１と同様に電柱に取り付けて使用されることは同じである。
【００２６】
図２に示す実施形態の鳥留まり防止具１１は、図１に示した鳥留まり防止具において短筒状底部１ａおよび円錐部１ｂを電柱の外径に応じて電柱の直径方向に伸縮し得るように短筒状底部１ａから円錐部１ｂの頂点に向かって形成された切れ目１ｃを有するものである。そして、この切れ目１ｃを境として短筒状底部１ａおよび円錐部１ｂを電柱の外径に応じて電柱の直径方向に伸縮させて、短筒状底部１ａを電柱の最上端部の外径にぴったりと嵌合させる。
【００２７】
それから、図２（ｂ）に示すように、この嵌合した状態で短筒状底部１ａの周囲にベルト状締め付け固定具１３を取り付け、このベルト状締め付け固定具１３を締め付けることにより、短筒状底部１ａを周囲から電柱の最上端部の外周に固定的に取り付ける。この結果、鳥留まり防止具１１を電柱に確実に固定することができる。
【００２８】
なお、切れ目１ｃは、該切れ目１ｃにおいて短筒状底部１ａおよび円錐部１ｂがオーバーラップしていて、１本の切れ目１ｃになるように構成され、鳥留まり防止具１１を電柱の最上端部に取り付けるために、切れ目１ｃを境として短筒状底部１ａおよび円錐部１ｂを電柱の外径に応じて電柱の直径方向に伸縮させた場合に、切れ目１ｃの所で隙間が発生し、この隙間から雨水が内部に侵入しないようになっている。
【００２９】
また、上述したように、鳥留まり防止具１１を電柱の最上端部に取り付けた後、オーバーラップして１本となった切れ目１ｃの部分またはオーバーラップした部分に接着剤または防水コーティング等を施すことにより、この切れ目１ｃの部分から雨水が侵入することを完全に防止することができる。
【００３０】
図２（ｂ）に示すように、鳥留まり防止具１１の円錐部１ｂの周囲に取り付けられるベルト状締め付け固定具１３は、円錐部１ｂを電柱の最上端部の外周に締め付けることができるとともに、種々の太さの電柱の最上端部に取り付けられるように、外周の大きさを通常のベルトなどのようにスライド調整できるものであるとともに、スライド調整した締め付けた後、電柱の最上端部の外周に固定し得るように留め具を備えている。
【００３１】
なお、このように構成される鳥留まり防止具１１も、図１の実施形態と同様に、金属やプラスチックなどで形成されるとともに、円錐部１ｂの表面は、鳥が留まれないように摩擦係数の小さい材料を使用または塗付され、更に円錐部１ｂは、鳥が留まれないようにその頂点を中心とする頂角が所定の鋭角に構成されるかまたは短筒状底部１ａの直径と円錐部１ｂの高さの関係が直径：高さ＝１：√３以上であるように構成されている。
【００３２】
以上のように構成される鳥留まり防止具１１では、円錐部１ｂが表面に摩擦係数の小さい材料を使用または塗付されるとともに、その頂点を中心とする頂角が所定の鋭角であるため、鳥が留まり難く、従って鳥の糞害もなく、電柱付近の通行人に糞をかけたり、電柱付近を汚すこともない。また更に、鳥留まり防止具１１は、切れ目１ｃでオーバーラップさせながら短筒状底部１ａおよび円錐部１ｂを電柱の外径に応じて電柱の直径方向に伸縮させて、短筒状底部１ａを電柱の最上端部の外径に完全に嵌合させ電柱の最上端部に取り付けてから、ベルト状締め付け固定具１３で締め付けて固定し、更に切れ目１ｃの部分には必要に応じて接着剤や防水コーティング等を施すとともに、円錐部１ｂが表面に摩擦係数の小さい材料を使用または塗付され、その頂点を中心とする頂角が所定の鋭角であるため、雨水は内部に浸透することなく、下方に流れ、電柱３の周囲を伝わって流れてしまい、電柱３の内部に浸透し、電柱を腐食させてしまうこともない。
【００３３】
【発明の効果】
以上説明したように、本発明によれば、上方に円錐状に伸びた円錐部を有する短筒状底部を電柱の最上端部の外周を完全に覆うように取り付けるので、鳥が留まり難く、従って鳥の糞害もなく、電柱付近の通行人に糞をかけたり、電柱付近を汚すことがないとともに、また雨水は円錐部の外周を伝わって下方に流れ、内部に浸透することなく、電柱の周囲を伝わって流れてしまい、電柱の内部に浸透して電柱を腐食させることもない。
【００３４】
また、本発明によれば、短筒状底部から円錐部の頂点に向かって形成された切れ目を境として短筒状底部および円錐部を電柱の外径に応じて電柱の直径方向に伸縮して短筒状底部を電柱の最上端部の外径にぴったりと嵌合させ、この嵌合状態で短筒状底部を周囲から電柱の最上端部の外周に固定手段により固定的に締め付けるので、種々の太さの電柱に適確に取り付けることができ、鳥が留まり難く、従って鳥の糞害もなく、電柱付近の通行人に糞をかけたり、電柱付近を汚すことがないとともに、また雨水が内部に浸透して電柱を腐食させることもない。
【００３５】
更に、本発明によれば、切れ目がオーバーラップしていて１本の切れ目になるように構成されているので、この切れ目から雨水は侵入しにくく、特に切れ目に接着剤や防水コーティングを施すことにより雨水の侵入を完全に防止することができる。
【００３６】
本発明によれば、円錐部の表面が摩擦係数の小さい材料を使用または塗付されているので、鳥が留まり難く、鳥の糞害もなく、電柱付近の通行人に糞をかけたり、電柱付近を汚すことがない。
【００３７】
また、本発明によれば、円錐部の頂点を中心とする頂角が所定の鋭角であるので、鳥が留まり難く、鳥の糞害もなく、電柱付近の通行人に糞をかけたり、電柱付近を汚すことがない。
【００３８】
更に、本発明によれば、ベルト状締め付け固定具または接着剤で固定するので、鳥留まり防止具を電柱の最上端部に適確に取り付けることができる。
【図面の簡単な説明】
【図１】本発明の一実施形態に係わる鳥留まり防止具を電柱の最上端部に取り付けた状態で示す斜視図および電柱の最上端部に取り付ける直前の状態を示す斜視図である。
【図２】本発明の他の実施形態に係わる鳥留まり防止具を示す斜視図である。
【符号の説明】
１、１１  鳥留まり防止具
１ａ  短筒状底部
１ｂ  円錐部
１ｃ  切れ目
３  電柱
３ａ  最上端部
【図１】
2004321139.tif 000003
【図２】
2004321139.tif 000004